(57)【要約】【課題】正確な歩き方を誘導することができず、また、扁平足が増えている現代人にあって、正確な歩き方を無理なく矯正できる健康グッズが要望されている。【解決手段】足に着脱自在に装着するためのバンド本体１と、該バンド本体１内に着脱自在に挿着される突起体２とを備える。バンド本体１は、足の甲に簡単に装着できるように伸縮自在に形成された筒体からなる。突起体２は、硬質若しくは軟質のゴム若しくは合成樹脂材から成形されており、底面頂部より踵方向へ傾斜した第１傾斜面と爪先方向へ傾斜した第２傾斜面とを備え、同突起体２の上面には、土踏まずを刺激するための刺激手段４を形成せしめる。この刺激手段４は、例えば、土踏まずの凹みにフィットできるように立体的に形成されており、歩行する度に、土踏まず全体を刺激することができる。【選択図】図２
0003122081.tif 000002
【実用新案登録請求の範囲】
【請求項１】
主として足に着脱自在に装着するためのバンド本体と、少なくとも足の裏に刺激を与えるための突起体とを備えたフットケアバンドにおいて、
前記突起体は、同突起体の底面頂部より踵方向へ傾斜した第１傾斜面と爪先方向へ傾斜した第２傾斜面とを備えたことを特徴とするフットケアバンド。
【請求項２】
前記バンド本体及び／又は突起体には、土踏まず、足、身体のツボ、皮膚の経穴経路を刺激し若しくは血行を促進するための刺激手段を施してなることを特徴とする請求項１に記載のフットケアバンド。
【請求項３】
前記突起体は、底面が第１傾斜面と第２傾斜面とで円弧状に形成されていることを特徴とする請求項１に記載のフットケアバンド。
【考案の詳細な説明】
【技術分野】
【０００１】
本考案は、主として足裏のツボや土踏まずを刺激せしめるフットケアバンドの改良に関し、更に詳しくは、足裏を適度に刺激するのみならず、踵で着地して爪先の指で地面を蹴って前進するといった正確な歩き方を誘導してくれるフットケアバンドに関する。
【背景技術】
【０００２】
従来、斯かるフットケアバンドとしては、例えば、足裏のツボを指圧することによる健康法を応用したもので、足の甲の部分にバンドをかけ、このバンドに、足の土踏まずの形に合せてアーチをえがく様に適度の大きさの膨らみを持たせ、歩行等により足のツボに刺激を与える突起体を備えた健康用具が既に案出されている（例えば、特許文献１参照）。
【特許文献１】特開平１１−１６４８７１号
【考案の開示】
【考案が解決しようとする課題】
【０００３】
しかしながら、上述した従来のフットケアバンドにあっては、歩行することにより足裏のツボを刺激できるといった利点を有するものの、踵で着地し爪先の指で地面を蹴って前進するといった正確な歩き方を誘導することができず、また、扁平足が増えている現代人にあって、正確な歩き方を無理なく矯正できる健康グッズが要望されている。
【０００４】
本考案はこのような従来の問題点及び要望に鑑みてなされたもので、足裏を適度に刺激するのみならず、正確な歩き方を誘導してくれるフットケアバンドを提供することを第１目的とし、延いては、足の裏のみならず脹ら脛や腕などの全身ケアバンドとしても使用できる健康グッズの提供を第２目的としたものである。
【課題を解決するための手段】
【０００５】
上述の如き従来の問題点を解決し、所期の目的を達成するため本考案の要旨とする構成は、主として足に着脱自在に装着するためのバンド本体と、少なくとも足の裏に刺激を与えるための突起体とを備えたフットケアバンドにおいて、前記突起体は、同突起体の底面頂部より踵方向へ傾斜した第１傾斜面と爪先方向へ傾斜した第２傾斜面とを備えたフットケアバンドに存する。
【０００６】
また、バンド本体及び／又は突起体には、土踏まず、足、身体のツボ、皮膚の経穴経路を刺激したり血行を促進するための刺激手段を施すのが良い。
【０００７】
更に、前記突起体は、底面を前記第１傾斜面と第２傾斜面とで円弧状に形成するのが良い。
【考案の効果】
【０００８】
本考案は上述のように構成され、前記突起体は、同突起体の底面頂部より踵方向へ傾斜した第１傾斜面と爪先方向へ傾斜した第２傾斜面とを備えたことによって、歩行する際、前記第１傾斜面、第２傾斜面と着地することから、足裏を適度に刺激するのみならず、踵で着地し爪先の指で地面を蹴って前進するといった正確な歩き方を誘導してくれるフットケアバンドを提供できることとなった。
【０００９】
また、バンド本体及び／又は突起体には、土踏まず、足、身体のツボ、皮膚の経穴経路を刺激し若しくは血行を促進するための刺激手段を施したことによって、疲労が蓄積した足や身体を効果的に解してくれるといった効果を奏する。
【００１０】
更に、突起体の底面が、前記第１傾斜面と第２傾斜面とで円弧状に形成されたことによって、床面を傷付けることなく正確な歩き方を誘導できると共に、アキレス腱等のストレッチやバランス運動をも床面に優しく行うことができるといった効果を奏する。
【００１１】
また、本考案のフットケアバンドは、構成が単純であるため、大量生産に適し価格も低廉なものとして需用者に供給できるなど、本考案を実施することはその実益的価値が甚だ大である。
【考案を実施するための最良の形態】
【００１２】
突起体の底面頂部より踵方向へ傾斜した第１傾斜面と、爪先方向へ傾斜した第２傾斜面とを形成すると共に、同突起体に土踏まず、足のツボ等を刺激するための刺激手段を施しておくのが良い。
【実施例】
【００１３】
次に本考案の実施の一例を図面を参照しながら説明する。図中Ａは、本考案に係るフットケアバンドの実施の一例を示すものであり、このフットケアバンドＡは、図１乃至図２に示すように、足に着脱自在に装着するためのバンド本体１と、該バンド本体１内に着脱自在に挿着される突起体２とを備えている。
【００１４】
バンド本体１は、足の甲に簡単に装着できるように伸縮自在に形成された筒体（以下、単に「サポータータイプ」という）からなり、底部にラバー等の滑止手段３が施されている。
【００１５】
また、突起体２は、硬質若しくは軟質のゴム若しくは合成樹脂材から成形されており、底面頂部２ａより踵方向へ傾斜した第１傾斜面２ｂと爪先方向へ傾斜した第２傾斜面２ｃとを備えている。
【００１６】
因に、この突起体２の素材を変えること、換言すれば、ソフトタイプ(軟質)にすることで、歩き心地が良くなり足裏マッサージに最適となり、反対にハードタイプ(硬質)にすることで、図５(２)に示すように、その場でのストレッチやバランス運動等に最適になるなど、使用目的に応じて使い分けをすることができる。
【００１７】
更に、突起体２の上面には、土踏まずを刺激するための刺激手段４が形成されている。この刺激手段４は、例えば、土踏まずの凹みにフィットできるように立体的に形成されており(以下、単に「立体突起」という)、歩行する度に、土踏まず全体を刺激することができる。
【００１８】
その他、斯かる刺激手段４としては、この立体突起の替わりに、例えば、血行促進に良いとされるマグネット、ゲルマニユム、チタン、銅、銀、金、錫等の金属材若しくは水晶、セラミック、トルマリン、鉱物、更には、芳香剤、活性炭などの防臭剤（図示せず）などを用いても良い。
【００１９】
このように構成される本考案のフットケアバンドＡは、図４に示すように、バンド本体１内に突起体２を入れた状態で足の甲に簡単に装着できるものであり、また、歩行する際には、底面頂部２ａを支点に前記第１傾斜面２ｂから第２傾斜面２ｃと強制的に地面に着地できることから、踵で着地し爪先の指で地面を蹴って前進するといった正確な歩き方を誘導してくれるのである(図５(２)参照)。
【００２０】
しかも、その際、前記刺激手段４により土踏まずが刺激され、足裏の土踏まずにピッタリフィットの立体的な刺激手段４が疲労が蓄積した足裏全体を効果的に解してくれるため、足の疲れがとれる他、身体が元気になり、抵抗力も高まるなどの効果がある。
【００２１】
因に、現代っ子が疲れ易いのは、見事なほど土踏まずが無くなってしまったからと云われている。赤ちゃんの足は大体が扁平足であるが、裸足でしっかり踏ん張って歩くうちに、次第に土踏まずが形成される。
【００２２】
また、人間の二足歩行は、まず、踵を着地し、次いで、爪先で地面を蹴って前進するのが正確な歩き方であり、この時、土踏まずがバネの役割を果たすわけである。而して、最近の赤ちゃんや子供は、立ち上がる前から靴を履かされてしまい、歩くようになっても、裸足で歩くという機会が少ないため、扁平足が増え、正しい歩き方ができない人が増えているのが現状である。
【００２３】
「扁平足は疲れやすい」と云われるように、足の疲れのポイントは土踏まずにあり、一日中立ちっぱなしだったり、歩き過ぎたりして足の疲れがひどい場合は、本考案のフットケアバンドを装着することで、正しい歩き方を強制的に誘導しながら土踏まずや足裏のツボを効果的に刺激し、足の疲れをとることができるのである。
【００２４】
また、本考案のフットケアバンドは、土踏まずや足裏のツボを刺激するだけではなく、身体の器官に反射的なつながりがあるとされる反射区と呼ばれるゾーン(経路)を刺激して、身体のいろいろな部位(胃腸等の働きを高めるなど)の疾患を治すことも期待できることは云うまでもなく、足首や足を細くするなど健康
グッズとしても応用できる。
【００２５】
尚、本考案のフットケアバンドは、本実施例に限定されることなく、本考案の目的の範囲内で自由に設計変更し得るものであり、本考案はそれらの全てを包摂するものである。
【００２６】
例えば、本明細書で言及している「バンド本体」とは、本実施例で示した中空のサポータータイプに限定されることなく、例えば、図６に示すように、帯状でサンダルタイプ仕様に形成しても良く、更には、線状、紐状、帯状のみならず、細長く網状、板状、鉢巻き状の他、靴、靴下状等に成形された全てのものを総称するものであり、また、足の甲のみならず足首、膝、脹ら脛、大腿部、手首、腕、肩、喉、頭にも着脱自在に装着できるように伸縮自在若しくは長さ調整自在（図示せず）に構成しても良く、本考案はこれらの全ての形状、形態を包摂する。
【００２７】
また、突起体２は、本実施例にあってはバンド本体１の中空内に着脱自在に装着しているが、これに限定されることなく、突起体２を何れの方法でバンド本体１に装着させても良い。
【００２８】
更に、刺激手段４は、本実施例で示した「土踏まず用の立体凸部」に限定されることなく、前述したように血行促進に良いとされるマグネット、ゲルマニユム、チタン、銅、銀、金、錫等の金属材若しくは水晶、セラミック、トルマリン、鉱物、更には芳香剤若しくは防臭剤（図示せず）の全て又は何れかを選択又は組み合わせたものを使用しても良く、これらをバンド本体１、突起体２の何れに装着しても良い。
【００２９】
尚、刺激手段４に、銅、銀、金、錫等の金属材を使用することで、皮膚の経穴経路の外輪に刺激を与え、経路部位を通じて自律神経細胞や末梢神経細胞の異常電位を正常に調整できるため、血液の活性化及び循環が良好になり、肩凝りがほぐれ、痛みが軽減、治癒するなどの優れた効能も期待できる。
【００３０】
因に、痛みの伝達システムは、人体に痛みが発生する際、痛みの活動電位が生じ、それが痛みのインパルス(impulse）として痛みの中枢神経へと伝達されることが解明されているが、本考案の刺激手段４に銅、銀、金等の金属材を装着することにより、痛みが軽減、治癒するのは、その異常な電気信号や伝達が、銀、銅の原子から放出される金属イオン（銀イオン、銅イオン）の電子特性が皮膚から体内に導入されて神経細胞の異常電位を正常に調整するからだと推測される。
【００３１】
また、肩凝りは、末梢神経の刺激により乳酸が発生し、筋肉が緊張を起こすことに起因して血液の循環が悪くなることが原因といわれているが、本考案の刺激手段４を装着することにより、電気刺激（銀イオン、銅イオンの電子特性）により末梢神経に刺激を与え、乳酸が分解されると共に、血液の活性化及び循環を良好になすことにより、肩凝りを解消できるため、フットケアのみならず、全身ケアバンド（健康グッズ）としての仕様も可能になる。
【図面の簡単な説明】
【００３２】
【図１】本考案に係るフットケアバンドの第１実施例を示す斜視図である。
【図２】同フットケアバンドの組立分解斜視図である。
【図３】同フットケアバンドで使用する突起体の説明図である。
【図４】同フットケアバンドの使用状態を示す説明図である。
【図５】図５(ａ)は同フットケアバンドを装着しての歩行運動を示す説明図、図５(ｂ)は同フットケアバンドを装着してのストレッチ運動を示す説明図である。
【図６】本考案に係るフットケアバンドの第２実施例を示す斜視図である。
【符号の説明】
【００３３】
Ａ  フットケアバンド
１  バンド本体
２  突起体
２ａ  底面頂部
２ｂ  第１傾斜面
２ｃ  第２傾斜面
３  滑止手段
４  刺激手段
【図１】
0003122081.tif 000003
【図２】
0003122081.tif 000004
【図３】
0003122081.tif 000005
【図４】
0003122081.tif 000006
【図５】
0003122081.tif 000007
【図６】
0003122081.tif 000008